(57)【特許請求の範囲】
【請求項１】
使用者の身体を用いた運動の履歴を行う運動履歴システムのプログラムであって、運動履歴システムに、
前記身体の複数の運動箇所における運動内容を定める運動内容設定ステップと、
定められた前記運動内容に基づいて、前記複数の運動箇所におのおの対応した複数の表示部分を有する運動内容画像を表示する運動内容表示ステップと
を実行させ、
前記運動内容設定ステップは、
前記複数の運動箇所のトレーニング具合を示す運動内容パラメータを格納する運動内容格納ステップと、
前記運動内容格納ステップにより格納されている前記運動内容に、新たに定められた前記運動内容パラメータを積算して、運動内容を更新する運動更新積算ステップと
を有し、
前記運動内容表示ステップは、
前記運動更新積算ステップで積算された前記複数の運動箇所の前記運動内容のうちの最大値を決定する最大値決定ステップと、
前記最大値と前記最大値以外の前記複数の運動箇所の前記運動内容とを比較する最大値比較ステップと、
前記最大値比較ステップの比較に基づいて、前記運動内容画像の前記複数の表示部分を設定する最大基準表示ステップと
を有し、
前記最大基準表示ステップは、
前記運動内容の値がゼロの前記運動箇所に対応する前記表示部分に第１の所定の色を設定し、
前記最大値の前記運動箇所に対応する前記表示部分に第２の所定の色を設定し、
前記最大値以外の前記複数の運動箇所に対応する前記表示部分に、前記第１の所定の色から前記第２の所定の色へ段階的に変化させた色のうち、前記最大値比較ステップの比較に基づいて、前記最大値により近い前記運動箇所に対応する表示部分に、前記第２の色により近い色を設定する色設定ステップを含む
ことを特徴とするプログラム。
【請求項２】
使用者の身体を用いた運動の履歴を行う運動履歴システムのプログラムであって、運動履歴システムに、
前記身体の複数の運動箇所における運動内容を定める運動内容設定ステップと、
定められた前記運動内容に基づいて、前記複数の運動箇所におのおの対応した複数の表示部分を有する運動内容画像を表示する運動内容表示ステップと
を実行させ、
前記運動内容設定ステップは、
前記複数の運動箇所のトレーニング具合を示す運動内容パラメータを格納する運動内容格納ステップと、
前記運動内容格納ステップにより格納されている前記運動内容に、新たに定められた前記運動内容パラメータを積算して、運動内容を更新する運動更新積算ステップと
を有し、
前記運動内容表示ステップは、
前記運動更新積算ステップで積算された前記複数の運動箇所の前記運動内容のうちの最大値を決定する最大値決定ステップと、
前記最大値と所定の基準値とを比較する最大基準比較ステップと、
前記最大値が前記所定の基準値未満の場合に、前記所定の基準値と前記複数の運動箇所の前記運動内容とを比較し、この比較に基づいて前記運動内容画像の前記複数の表示部分を設定し、前記最大値が前記所定の基準値以上の場合に、前記最大値と前記最大値以外の前記複数の運動箇所の前記運動内容とを比較し、この比較に基づいて前記運動内容画像の前記複数の表示部分を設定する設定基準表示ステップと
を有し、
前記設定基準表示ステップは、
前記運動内容の値がゼロの前記運動箇所に対応する前記表示部分に第１の所定の色を設定し、
前記最大値が前記所定の基準値未満の場合に、
前記所定の基準値以上の運動履歴の前記運動箇所に対応する前記表示部分に第２の所定の色を設定し、
前記所定の基準値未満の運動履歴の前記運動箇所に対応する前記表示部分に、前記第１の所定の色から前記第２の所定の色へ段階的に変化させた色のうち、前記基準値ステップの比較に基づいて、前記所定の基準値により近い前記運動箇所に対応する表示部分に、前記第２の色により近い色を設定し、
前記最大値が前記所定の基準値以上の場合に、
前記最大値の前記運動箇所に対応する前記表示部分に第２の所定の色を設定し、
前記最大値以外の前記複数の運動箇所に対応する前記表示部分に、前記第１の所定の色から前記第２の所定の色へ段階的に変化させた色のうち、前記最大値比較ステップの比較に基づいて、前記最大値により近い前記運動箇所に対応する表示部分に、前記第２の色により近い色を設定する色設定ステップを含む
ことを特徴とするプログラム。
【請求項３】
前記運動内容設定ステップは、
前記複数の運動箇所のおのおのに対応した運動内容パラメータをそれぞれ有する複数の運動パターンを設定する運動パターン設定ステップと、
前記運動パターン設定ステップにより設定された前記複数の運動パターンから所定の運動パターンを選択する運動パターン選択ステップと、
前記運動パターン選択ステップにより選択された前記所定の運動パターンの前記運動内容パラメータを、前記運動更新積算ステップで積算される前記新たな運動内容とする運動パターン積算ステップとをさらに有する
ことを特徴とする請求項１または２に記載のプログラム。
【請求項４】
前記運動履歴システムに、
前記運動パターン選択ステップにより選択された前記所定の運動パターンに対応づけられ、前記使用者へ前記運動パターンの運動を指示する前記運動指示画像を表示する指示画像表示ステップをさらに実行させる
ことを特徴とする請求項３に記載のプログラム。
【請求項５】
前記運動内容設定ステップは、
前記指示画像表示ステップにおいて、前記所定の運動パターンの前記運動指示画像の表示が完了したか否かを判定し、
前記運動指示画像の表示が完了したと判定された場合に、運動パターン積算ステップにおいて、前記所定の運動パターンの前記運動内容パラメータを前記運動更新積算ステップで積算される前記新たな運動内容とする
指示完了判定ステップをさらに有する
ことを特徴とする請求項４に記載のプログラム。
【請求項６】
前記運動履歴システムに、
前記運動パターン選択ステップにより選択された前記所定の運動パターンに対応づけられた音声を出力する音声出力ステップをさらに実行させる
ことを特徴とする請求項３または４に記載のプログラム。
【請求項７】
前記運動内容設定ステップは、
前記音声出力ステップにおいて、前記所定の運動パターンの前記音声の出力が完了したか否かを判定し、
前記音声の出力が完了したと判定された場合に、運動パターン積算ステップにおいて、前記所定の運動パターンの前記運動内容パラメータを前記運動更新積算ステップで積算される前記新たな運動内容とする
音声完了判定ステップをさらに有する
ことを特徴とする請求項６に記載のプログラム。
【請求項８】
前記運動内容設定ステップは、
実際に前記使用者が前記身体を運動したことに基づいた運動実行情報を取得し、
前記運動実行情報に基づいた運動実行パラメータを、前記運動内容更新ステップで積算される前記複数の運動箇所の前記新たな運動内容とする
運動実行情報取得ステップをさらに有する
ことを特徴とする請求項１または２に記載のプログラム。
【請求項９】
使用者の身体を用いた運動の履歴を行う運動履歴システムのプログラムを運動履歴システム読み取り可能に記録した記録媒体であって、請求項１から８のいずれかのプログラムを格納した記録媒体。
【請求項１０】
使用者の身体を用いた運動の履歴を行う運動履歴装置であって、
前記身体の複数の運動箇所における運動内容を定める運動内容設定部と、
前記運動内容に基づいて、前記複数の運動箇所におのおの対応した複数の表示部分を有する運動内容画像を表示させる内容表示信号を出力する内容表示信号出力部と
を備え、
前記運動内容設定部は、
前記複数の運動箇所のトレーニング具合を示す運動内容パラメータを格納する運動内容格納部と、
前記運動内容格納部により格納された前記運動内容に、新たに設定された前記運動内容パラメータを積算して、運動内容を更新する運動更新積算部と
を含み、
前記内容画像出力部は、
前記運動内容積算部で積算された前記複数の運動箇所の前記運動内容のうちの最大値を決定する最大値決定部と、
前記最大値と前記最大値以外の前記複数の運動箇所の前記運動内容とを比較する最大値比較部と、
前記最大値比較部の比較に基づいて、前記複数の表示部分の前記運動内容画像を設定する最大基準表示部と
を含み、
前記内容画像出力部の前記最大基準表示部は、
前記運動内容の値がゼロの前記運動箇所に対応する前記表示部分に第１の所定の色を設定し、
前記最大値の前記運動箇所に対応する前記表示部分に第２の所定の色を設定し、
前記最大値以外の前記複数の運動箇所に対応する前記表示部分に、前記第１の所定の色から前記第２の所定の色へ段階的に変化させた色のうち、前記最大値比較部の比較に基づいて、前記最大値により近い前記運動箇所に対応する表示部分に、前記第２の色により近い色を設定する色設定部を含む
ことを特徴とする運動履歴装置。
【請求項１１】
使用者の身体を用いた運動の履歴を行う運動履歴装置であって、
前記身体の複数の運動箇所における運動内容を定める運動内容設定部と、
前記運動内容に基づいて、前記複数の運動箇所におのおの対応した複数の表示部分を有する運動内容画像を表示させる内容表示信号を出力する内容表示信号出力部と
を備え、
前記運動内容設定部は、
前記複数の運動箇所のトレーニング具合を示す運動内容パラメータを格納する運動内容格納部と、
前記運動内容格納部により格納された前記運動内容に、新たに設定された前記運動内容パラメータを積算して、運動内容を更新する運動更新積算部と
を含み、
前記内容画像出力部は、
前記運動内容積算部で積算された前記複数の運動箇所の前記運動内容のうちの最大値を決定する最大値決定部と、
前記最大値と所定の基準値とを比較する最大基準比較部と、
前記最大値が前記所定の基準値未満の場合に、前記所定の基準値と前記複数の運動箇所の前記運動内容とを比較し、この比較に基づいて前記複数の表示部分の前記画像を設定し、  前記最大値が前記所定の基準値以上の場合に、前記最大値と前記最大値以外の前記複数の運動箇所の前記運動内容とを比較し、この比較に基づいて前記複数の表示部分の前記画像を設定する設定基準表示部と
を含み、
前記内容画像出力部の前記設定基準表示部は、
前記運動内容の値がゼロの前記運動箇所に対応する前記表示部分に第１の所定の色を設定し、
前記最大値が前記所定の基準値未満の場合に、
前記所定の基準値以上の運動履歴の前記運動箇所に対応する前記表示部分に第２の所定の色を設定し、
前記所定の基準値未満の運動履歴の前記運動箇所に対応する前記表示部分に、前記第１の所定の色から前記第２の所定の色へ段階的に変化させた色のうち、前記所定の基準値により近い前記運動箇所に対応する表示部分には前記第２の色により近い色を設定し、
前記最大値が前記所定の基準値以上の場合に、
前記最大値の前記運動箇所に対応する前記表示部分に第２の所定の色を設定し、
前記最大値以外の前記複数の運動箇所に対応する前記表示部分に、前記第１の所定の色から前記第２の所定の色へ段階的に変化させた色のうち、前記最大値により近い前記運動箇所に対応する表示部分に、前記第２の色により近い色を設定する色設定部を含む
ことを特徴とする運動履歴装置。
【請求項１２】
使用者の身体を用いた運動の履歴を行う運動履歴システムであって、
前記身体の複数の運動箇所における運動内容を定める運動内容設定部と、前記運動内容に基づいて、前記身体の複数の運動箇所におのおの対応した複数の表示部分を有する運動内容画像の信号を出力する内容画像出力部とを有する運動履歴装置と、
前記運動履歴装置の前記内容画像出力部の信号に基づいた前記運動内容画像と、前記使用者へ前記運動を指示する運動指示画像とを選択的に表示する表示装置と
を備え、
前記運動履歴装置の前記運動内容設定部は、
前記複数の運動箇所のトレーニング具合を示す運動内容パラメータを格納する運動内容格納部と、
前記運動内容格納部により格納された前記運動内容に、新たに設定された前記運動内容パラメータを積算して、運動内容を更新する運動更新積算部と
を含み、
前記運動履歴装置の前記内容画像出力部は、
前記運動内容積算部で積算された前記複数の運動箇所の前記運動内容のうちの最大値を決定する最大値決定部と、
前記最大値と前記最大値以外の前記複数の運動箇所の前記運動内容とを比較する最大値比較部と、
前記最大値比較部の比較に基づいて、前記複数の表示部分の前記運動内容画像を設定する最大基準表示部と
を含み、
前記運動履歴装置における前記内容画像出力部の前記最大基準表示部は、
前記運動内容の値がゼロの前記運動箇所に対応する前記表示部分に第１の所定の色を設定し、
前記最大値の前記運動箇所に対応する前記表示部分に第２の所定の色を設定し、
前記最大値以外の前記複数の運動箇所に対応する前記表示部分に、前記第１の所定の色から前記第２の所定の色へ段階的に変化させた色のうち、前記最大値比較部の比較に基づいて、前記最大値により近い前記運動箇所に対応する表示部分に、前記第２の色により近い色を設定する色設定部を含む
ことを特徴とする運動履歴システム。
【請求項１３】
使用者の身体を用いた運動の履歴を行う運動履歴システムであって、
前記身体の複数の運動箇所における運動内容を定める運動内容設定部と、前記運動内容に基づいて、前記身体の複数の運動箇所におのおの対応した複数の表示部分を有する運動内容画像の信号を出力する内容画像出力部とを有する運動履歴装置と、
前記運動履歴装置の前記内容画像出力部の信号に基づいた前記運動内容画像と、前記使用者へ前記運動を指示する運動指示画像とを選択的に表示する表示装置と
を備え、
前記運動履歴装置の前記運動内容設定部は、
前記複数の運動箇所のトレーニング具合を示す運動内容パラメータを格納する運動内容格納部と、
前記運動内容格納部により格納された前記運動内容に、新たに設定された前記運動内容パラメータを積算して、運動内容を更新する運動更新積算部と
を含み、
前記運動履歴装置の前記内容画像出力部は、
前記運動内容積算部で積算された前記複数の運動箇所の前記運動内容のうちの最大値を決定する最大値決定部と、
前記最大値と所定の基準値とを比較する最大基準比較部と、
前記最大値が前記所定の基準値未満の場合に、前記所定の基準値と前記複数の運動箇所の前記運動内容とを比較し、この比較に基づいて前記複数の表示部分の前記画像を設定し、  前記最大値が前記所定の基準値以上の場合に、前記最大値と前記最大値以外の前記複数の運動箇所の前記運動内容とを比較し、この比較に基づいて前記複数の表示部分の前記画像を設定する設定基準表示部と
を含み、
前記運動履歴装置における前記内容画像出力部の前記設定基準表示部は、
前記運動内容の値がゼロの前記運動箇所に対応する前記表示部分に第１の所定の色を設定し、
前記最大値が前記所定の基準値未満の場合に、
前記所定の基準値以上の運動履歴の前記運動箇所に対応する前記表示部分に第２の所定の色を設定し、
前記所定の基準値未満の運動履歴の前記運動箇所に対応する前記表示部分に、前記第１の所定の色から前記第２の所定の色へ段階的に変化させた色のうち、前記所定の基準値により近い前記運動箇所に対応する表示部分には前記第２の色により近い色を設定し、
前記最大値が前記所定の基準値以上の場合に、
前記最大値の前記運動箇所に対応する前記表示部分に第２の所定の色を設定し、
前記最大値以外の前記複数の運動箇所に対応する前記表示部分に、前記第１の所定の色から前記第２の所定の色へ段階的に変化させた色のうち、前記最大値により近い前記運動箇所に対応する表示部分に、前記第２の色により近い色を設定する色設定部を含む
ことを特徴とする運動履歴システム。
【請求項１４】
前記運動履歴装置の前記運動内容設定部は、
前記複数の運動箇所のおのおのに対応した運動内容パラメータをそれぞれ有する複数の運動パターンを設定する運動パターン設定部と、
前記運動パターン設定部により設定された前記複数の運動パターンから所定の運動パターンを選択する運動パターン選択部と、
前記運動パターン選択部により選択された前記所定の運動パターンの前記運動内容パラメータを、前記運動更新積算部で積算される前記新たな運動内容とする運動パターン積算部とをさらに含む
ことを特徴とする請求項１２または１３に記載の運動履歴システム。
【請求項１５】
前記運動履歴装置は、
前記運動パターン選択部により選択された前記所定の運動パターンに対応づけられた前記運動指示画像を前記表示装置に表示させる信号を出力する指示画像出力部をさらに有する
ことを特徴とする請求項１４に記載の運動履歴システム。
【請求項１６】
前記運動履歴装置の前記運動内容設定部は、
前記指示画像出力部において、前記所定の運動パターンの前記運動指示画像の信号の出力が完了したか否かを判定し、
前記運動指示画像の信号の出力が完了したと判定された場合に、運動パターン積算部において、前記所定の運動パターンの前記運動内容パラメータを前記運動更新積算部で積算される前記新たな運動内容とする
指示完了判定部をさらに有する
ことを特徴とする請求項１５に記載の運動履歴システム。
【請求項１７】
前記運動パターン選択部により選択された前記所定の運動パターンに対応づけられた音声を出力する音声出力装置をさらに備えることを特徴とする請求項１５または１６に記載の運動履歴システム。
【請求項１８】
前記運動履歴装置の前記運動内容設定部は、
前記音声出力装置において、前記所定の運動パターンの前記音声の出力が完了したか否かを判定し、
前記音声の出力が完了したと判定された場合に、運動パターン積算部において、前記所定の運動パターンの前記運動内容パラメータを前記運動更新積算部で積算される前記新たな運動内容とする
音声完了判定部をさらに有する
ことを特徴とする請求項１６に記載の運動履歴システム。
【請求項１９】
前記使用者が実際に前記身体を運動したことを検知する運動検知装置をさらに備え、
前記運動内容設定部は、
前記運動検知装置の検知に基づいた運動実行情報を取得する運動実行情報取得部と、
前記運動実行情報に基づいた運動実行パラメータを、前記運動内容更新部で積算される前記複数の運動箇所の前記新たな運動内容とする運動実行情報積算部とをさらに有する
ことを特徴とする請求項１２または１３に記載の運動履歴システム。
【請求項２０】
前記運動検知装置は、
前記使用者の複数の身体箇所に取り付けられ、前記使用者が実際に前記身体箇所を運動した場合に、前記身体箇所に対応づけられた運動検知信号を発信する複数の運動検知発信部と、
前記複数の運動検知発信部からの前記運動検知信号を受信し、受信した前記運動検知信号に基づいて運動箇所を同定する情報とともに運動がなされた旨の情報を運動実行情報として出力する運動検知受信部とを有する
ことを特徴とする請求項１９に記載の運動履歴システム。
【発明の詳細な説明】
【０００１】
【発明の属する技術分野】
本発明は、運動履歴システム、運動履歴装置、運動履歴システム用プログラムおよびそれを記録した記録媒体に関する。特に本発明は、使用者の身体を用いた運動の履歴を行う運動履歴システム、運動履歴装置、運動履歴システム用プログラムおよびそれを記録した記録媒体に関する。
【０００２】
【従来の技術】
健康を保持したり筋力を増強したりする運動のために、スポーツクラブが利用される。スポーツクラブでは、上記の目的のためにスポーツクラブの各会員について、各会員が自己申告により所定の用紙に記入する等より、そのスポーツクラブでの運動の履歴を記録する。
【０００３】
一方で、家庭用ゲーム機やアミューズメントパークのアーケードゲーム機において、特殊なコントローラを用いて使用者が実際に身体を動かすゲームがある。
【０００４】
【発明が解決しようとする課題】
しかしながら、スポーツクラブでの所定の用紙に記入する方法では、それまでの履歴の全体を把握することが難しい。特に、所定の用紙に記入された運動から、その履歴を視覚的に把握することは困難である。さらに、履歴からその会員が今後トレーニングすべき身体の箇所を判断するのも難しい。
【０００５】
また、使用者が実際に身体を動かすゲームにおいては、使用者の運動について過去の履歴がないため、健康を増進したり筋力を増強したりするために用いることが難しい。
【０００６】
そこで本発明は、上記の課題を解決することのできる運動履歴システム、運動履歴装置、運動履歴システム用プログラムおよびそれを記録した記録媒体を提供することを目的とする。この目的は特許請求の範囲における独立項に記載の特徴の組み合わせにより達成される。また従属項は本発明の更なる有利な具体例を規定する。
【０００７】
【課題を解決するための手段】
即ち、本発明の第１の形態によると、使用者の身体を用いた運動の履歴を行う運動履歴システムのプログラムであって、運動履歴システムに、前記身体の複数の運動箇所における運動内容を定める運動内容設定ステップと、定められた前記運動内容に基づいて、前記複数の運動箇所におのおの対応した複数の表示部分を有する運動内容画像を表示する運動内容表示ステップとを実行させる。
【０００８】
前記プログラムにおいて、前記運動内容設定ステップは、前記複数の運動箇所の前記運動内容を格納する運動内容格納ステップと、前記運動内容格納ステップにより格納された前記運動内容に、新たに設定された運動内容を積算して運動内容を更新する運動更新積算ステップとを有してもよい。
【０００９】
前記プログラムにおいて、前記運動内容設定ステップは、前記複数の運動箇所のおのおのに対応した運動内容パラメータをそれぞれ有する複数の運動パターンを設定する運動パターン設定ステップと、前記運動パターン設定ステップにより設定された前記複数の運動パターンから所定の運動パターンを選択する運動パターン選択ステップと、前記運動パターン選択ステップにより選択された前記所定の運動パターンの前記運動内容パラメータを、前記運動更新積算ステップで積算される前記新たな運動内容とする運動パターン積算ステップとをさらに有してもよい。
【００１０】
前記プログラムは、前記運動履歴システムに、前記運動パターン選択ステップにより選択された前記所定の運動パターンに対応づけられ、前記使用者へ前記運動パターンの運動を指示する前記運動指示画像を表示する指示画像表示ステップをさらに実行させてもよい。
【００１１】
前記プログラムにおいて、前記運動内容設定ステップは、前記指示画像表示ステップにおいて、前記所定の運動パターンの前記運動指示画像の表示が完了したか否かを判定し、前記運動指示画像の表示が完了したと判定された場合に、運動パターン積算ステップにおいて、前記所定の運動パターンの前記運動内容パラメータを前記運動更新積算ステップで積算される前記新たな運動内容とする指示完了判定ステップをさらに有してもよい。
【００１２】
前記プログラムは、前記運動履歴システムに、前記運動パターン選択ステップにより選択された前記所定の運動パターンに対応づけられた音声を出力する音声出力ステップをさらに実行させてもよい。
【００１３】
前記プログラムにおいて、前記運動内容設定ステップは、前記音声出力ステップにおいて、前記所定の運動パターンの前記音声の出力が完了したか否かを判定し、前記音声の出力が完了したと判定された場合に、運動パターン積算ステップにおいて、前記所定の運動パターンの前記運動内容パラメータを前記運動更新積算ステップで積算される前記新たな運動内容とする音声完了判定ステップをさらに有してもよい。
【００１４】
前記プログラムにおいて、前記運動内容設定ステップは、実際に前記使用者が前記身体を運動したことに基づいた運動実行情報を取得し、前記運動実行情報に基づいた運動実行パラメータを、前記運動内容更新ステップで積算される前記複数の運動箇所の前記新たな運動内容とする運動実行情報取得ステップをさらに有してもよい。
【００１５】
前記プログラムにおいて、前記運動内容表示ステップは、前記運動内容に基づいて、前記複数の運動箇所におのおの対応した前記運動内容画像の前記複数の表示部分における色を設定する色設定ステップを有してもよい。
【００１６】
前記プログラムにおいて、前記運動内容表示ステップは、前記運動更新積算ステップで積算された前記複数の運動箇所の前記運動内容のうちの最大値を決定する最大値決定ステップと、前記最大値と前記最大値以外の前記複数の運動箇所の前記運動内容とを比較する最大値比較ステップと、前記最大値比較ステップの比較に基づいて、前記運動内容画像の前記複数の表示部分を設定する最大基準表示ステップとを有してもよい。
【００１７】
前記プログラムにおいて、前記最大基準表示ステップは、前記運動内容の値がゼロの前記運動箇所に対応する前記表示部分に第１の所定の色を設定し、前記最大値の前記運動箇所に対応する前記表示部分に第２の所定の色を設定し、前記最大値以外の前記複数の運動箇所に対応する前記表示部分に、前記第１の所定の色から前記第２の所定の色へ段階的に変化させた色のうち、前記最大値比較ステップの比較に基づいて、前記最大値により近い前記運動箇所に対応する表示部分に、前記第２の色により近い色を設定する色設定ステップを含んでもよい。
【００１８】
前記プログラムにおいて、前記運動内容表示ステップは、前記運動更新積算ステップで積算された前記複数の運動箇所の前記運動内容と所定の基準値とを比較する基準値比較ステップと、前記基準値比較ステップの比較に基づいて、前記運動内容画像の前記複数の表示部分を設定する所定基準表示ステップとを有してもよい。
【００１９】
前記プログラムにおいて、前記所定基準表示ステップは、前記運動内容の値がゼロの前記運動箇所に対応する前記表示部分に第１の所定の色を設定し、前記所定の基準値以上の運動履歴の前記運動箇所に対応する前記表示部分に第２の所定の色を設定し、前記所定の基準値未満の運動履歴の前記運動箇所に対応する前記表示部分に、前記第１の所定の色から前記第２の所定の色へ段階的に変化させた色のうち、前記基準値ステップの比較に基づいて、前記所定の基準値により近い前記運動箇所に対応する表示部分に、前記第２の色により近い色を設定する色設定ステップを含んでもよい。
【００２０】
前記プログラムにおいて、前記運動内容表示ステップは、前記運動更新積算ステップで積算された前記複数の運動箇所の前記運動内容のうちの最大値を決定する最大値決定ステップと、前記最大値と所定の基準値とを比較する最大基準比較ステップと、前記最大値が前記所定の基準値未満の場合に、前記所定の基準値と前記複数の運動箇所の前記運動内容とを比較し、この比較に基づいて前記運動内容画像の前記複数の表示部分を設定し、前記最大値が前記所定の基準値以上の場合に、前記最大値と前記最大値以外の前記複数の運動箇所の前記運動内容とを比較し、この比較に基づいて前記運動内容画像の前記複数の表示部分を設定する設定基準表示ステップとを有してもよい。
【００２１】
前記プログラムにおいて、前記設定基準表示ステップは、前記運動内容の値がゼロの前記運動箇所に対応する前記表示部分に第１の所定の色を設定し、前記最大値が前記所定の基準値未満の場合に、前記所定の基準値以上の運動履歴の前記運動箇所に対応する前記表示部分に第２の所定の色を設定し、前記所定の基準値未満の運動履歴の前記運動箇所に対応する前記表示部分に、前記第１の所定の色から前記第２の所定の色へ段階的に変化させた色のうち、前記基準値ステップの比較に基づいて、前記所定の基準値により近い前記運動箇所に対応する表示部分に、前記第２の色により近い色を設定し、前記最大値が前記所定の基準値以上の場合に、前記最大値の前記運動箇所に対応する前記表示部分に第２の所定の色を設定し、前記最大値以外の前記複数の運動箇所に対応する前記表示部分に、前記第１の所定の色から前記第２の所定の色へ段階的に変化させた色のうち、前記最大値比較ステップの比較に基づいて、前記最大値により近い前記運動箇所に対応する表示部分に、前記第２の色により近い色を設定する色設定ステップを含んでもよい。
【００２２】
本発明の第２の形態によると、使用者の身体を用いた運動の履歴を行う運動履歴システムのプログラムを運動履歴システム読み取り可能に記録した記録媒体であって、運動履歴システムに、前記身体の複数の運動箇所における運動内容を定める運動内容設定ステップと、前記運動内容に基づいて、前記複数の運動箇所におのおの対応した複数の表示部分を有する運動内容画像を表示する運動内容表示ステップとを実行させる。
【００２３】
本発明の第３の形態によると、使用者の身体を用いた運動の履歴を行う運動履歴装置であって、前記身体の複数の運動箇所における運動内容を定める運動内容設定部と、前記運動内容に基づいて、前記複数の運動箇所におのおの対応した複数の表示部分を有する運動内容画像を表示させる内容表示信号を出力する内容表示信号出力部とを備える。
【００２４】
本発明の第４の形態によると、使用者の身体を用いた運動の履歴を行う運動履歴システムであって、前記身体の複数の運動箇所における運動内容を定める運動内容設定部と、前記運動内容に基づいて、前記身体の複数の運動箇所におのおの対応した複数の表示部分を有する運動内容画像の信号を出力する内容画像出力部とを有する運動履歴装置と、前記運動履歴装置の前記内容画像出力部の信号に基づいた前記運動内容画像と、前記使用者へ前記運動を指示する運動指示画像とを選択的に表示する表示装置とを備える。
【００２５】
前記運動履歴システムにおいて、前記運動履歴装置の前記運動内容設定部は、前記複数の運動箇所の前記運動内容を格納する運動内容格納部と、前記運動内容格納部により格納された前記運動内容に、新たに設定された運動内容を積算して運動内容を更新する運動更新積算部とを含んでもよい。
【００２６】
前記運動履歴システムにおいて、前記運動履歴装置の前記運動内容設定部は、前記複数の運動箇所のおのおのに対応した運動内容パラメータをそれぞれ有する複数の運動パターンを設定する運動パターン設定部と、前記運動パターン設定部により設定された前記複数の運動パターンから所定の運動パターンを選択する運動パターン選択部と、前記運動パターン選択部により選択された前記所定の運動パターンの前記運動内容パラメータを、前記運動更新積算部で積算される前記新たな運動内容とする運動パターン積算部とをさらに含んでもよい。
【００２７】
前記運動履歴システムにおいて、前記運動履歴装置は、前記運動パターン選択部により選択された前記所定の運動パターンに対応づけられた前記運動指示画像を前記表示装置に表示させる信号を出力する指示画像出力部をさらに有してもよい。
【００２８】
前記運動履歴システムにおいて、前記運動履歴装置の前記運動内容設定部は、前記指示画像出力部において、前記所定の運動パターンの前記運動指示画像の信号の出力が完了したか否かを判定し、前記運動指示画像の信号の出力が完了したと判定された場合に、運動パターン積算部において、前記所定の運動パターンの前記運動内容パラメータを前記運動更新積算部で積算される前記新たな運動内容とする指示完了判定部をさらに有してもよい。
【００２９】
前記運動履歴システムは、前記運動パターン選択部により選択された前記所定の運動パターンに対応づけられた音声を出力する音声出力装置をさらに備える。
【００３０】
前記運動履歴システムにおいて、前記運動履歴装置の前記運動内容設定部は、前記音声出力装置において、前記所定の運動パターンの前記音声の出力が完了したか否かを判定し、前記音声の出力が完了したと判定された場合に、運動パターン積算部において、前記所定の運動パターンの前記運動内容パラメータを前記運動更新積算部で積算される前記新たな運動内容とする音声完了判定部をさらに有してもよい。
【００３１】
前記運動履歴システムは、前記使用者が実際に前記身体を運動したことを検知する運動検知装置をさらに備え、前記運動内容設定部は、前記運動検知装置の検知に基づいた運動実行情報を取得する運動実行情報取得部と、前記運動実行情報に基づいた運動実行パラメータを、前記運動内容更新部で積算される前記複数の運動箇所の前記新たな運動内容とする運動実行情報積算部とをさらに有してもよい。
【００３２】
前記運動履歴システムにおいて、前記運動検知装置は、前記使用者の複数の身体箇所に取り付けられ、前記使用者が実際に前記身体箇所を運動した場合に、前記身体箇所に対応づけられた運動検知信号を発信する複数の運動検知発信部と、前記複数の運動検知発信部からの前記運動検知信号を受信し、受信した前記運動検知信号に基づいて運動箇所を同定する情報とともに運動がなされた旨の情報を運動実行情報として出力する運動検知受信部とを有してもよい。
【００３３】
前記運動履歴システムにおいて、前記運動履歴装置の前記内容画像出力部は、前記運動内容に基づいて、前記複数の運動箇所におのおの対応した前記複数の表示部分の運動内容画像の色を設定する色設定部を含んでもよい。
【００３４】
前記運動履歴システムにおいて、前記運動履歴装置の前記内容画像出力部は、前記運動内容積算部で積算された前記複数の運動箇所の前記運動内容のうちの最大値を決定する最大値決定部と、前記最大値と前記最大値以外の前記複数の運動箇所の前記運動内容とを比較する最大値比較部と、前記最大値比較部の比較に基づいて、前記複数の表示部分の前記運動内容画像を設定する最大基準表示部とを含んでもよい。
【００３５】
前記運動履歴システムにおいて、前記運動履歴装置における前記内容画像出力部の前記最大基準表示部は、前記運動内容の値がゼロの前記運動箇所に対応する前記表示部分に第１の所定の色を設定し、前記最大値の前記運動箇所に対応する前記表示部分に第２の所定の色を設定し、前記最大値以外の前記複数の運動箇所に対応する前記表示部分に、前記第１の所定の色から前記第２の所定の色へ段階的に変化させた色のうち、前記最大値比較部の比較に基づいて、前記最大値により近い前記運動箇所に対応する表示部分に、前記第２の色により近い色を設定する色設定部を含んでもよい。
【００３６】
前記運動履歴システムにおいて、前記運動履歴装置の前記内容画像出力は、前記運動内容積算部で積算された前記複数の運動箇所の前記運動内容と所定の基準値とを比較する基準値比較部と、前記基準値比較部の比較に基づいて、前記複数の表示部分の前記運動内容画像を設定する所定基準表示部とを含んでもよい。
【００３７】
前記運動履歴システムにおいて、前記運動履歴装置における前記内容画像出力部の前記所定基準表示部は、前記運動内容の値がゼロの前記運動箇所に対応する前記表示部分に第１の所定の色を設定し、前記所定の基準値以上の運動履歴の前記運動箇所に対応する前記表示部分に第２の所定の色を設定し、前記所定の基準値未満の運動履歴の前記運動箇所に対応する前記表示部分に、前記第１の所定の色から前記第２の所定の色へ段階的に変化させた色のうち、前記基準値部の比較に基づいて、前記所定の基準値により近い前記運動箇所に対応する表示部分に、前記第２の色により近い色を設定する色設定部を含んでもよい。
【００３８】
前記運動履歴システムにおいて、前記運動履歴装置の前記内容画像出力部は、前記運動内容積算部で積算された前記複数の運動箇所の前記運動内容のうちの最大値を決定する最大値決定部と、前記最大値と所定の基準値とを比較する最大基準比較部と、前記最大値が前記所定の基準値未満の場合に、前記所定の基準値と前記複数の運動箇所の前記運動内容とを比較し、この比較に基づいて前記複数の表示部分の前記画像を設定し、前記最大値が前記所定の基準値以上の場合に、前記最大値と前記最大値以外の前記複数の運動箇所の前記運動内容とを比較し、この比較に基づいて前記複数の表示部分の前記画像を設定する設定基準表示部とを含んでもよい。
【００３９】
前記運動履歴システムにおいて、前記運動履歴装置における前記内容画像出力部の前記設定基準表示部は、前記運動内容の値がゼロの前記運動箇所に対応する前記表示部分に第１の所定の色を設定し、前記最大値が前記所定の基準値未満の場合に、前記所定の基準値以上の運動履歴の前記運動箇所に対応する前記表示部分に第２の所定の色を設定し、前記所定の基準値未満の運動履歴の前記運動箇所に対応する前記表示部分に、前記第１の所定の色から前記第２の所定の色へ段階的に変化させた色のうち、前記所定の基準値により近い前記運動箇所に対応する表示部分には前記第２の色により近い色を設定し、前記最大値が前記所定の基準値以上の場合に、前記最大値の前記運動箇所に対応する前記表示部分に第２の所定の色を設定し、前記最大値以外の前記複数の運動箇所に対応する前記表示部分に、前記第１の所定の色から前記第２の所定の色へ段階的に変化させた色のうち、前記最大値により近い前記運動箇所に対応する表示部分に、前記第２の色により近い色を設定する色設定部を含んでもよい。
【００４０】
なお上記の発明の概要は、本発明の必要な特徴の全てを列挙したものではなく、これらの特徴群のサブコンビネーションも又発明となりうる。
【００４１】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００４２】
図１は、本発明の実施形態にかかる運動履歴システム１０の全体図である。運動履歴システム１０は、使用者２０の身体を用いた運動の履歴を行う。運動履歴システム１０は、運動履歴装置１００と、表示装置２００とを備える。
【００４３】
表示装置２００は、運動履歴装置１００の内容画像出力部１２０の信号に基づいた運動内容画像と、使用者２０へ運動を指示する運動指示画像とを選択的に表示する。本実施形態において、表示装置２００は運動履歴装置１００と別体である。ただし、これにかぎられず、表示装置２００は運動履歴装置１００と一体でもよい。
【００４４】
運動履歴システム１０はさらに、音声を出力する音声出力装置３００を備える。本実施形態において、音声出力装置３００は表示装置２００と別体である。ただし、これにかぎられず、音声出力装置３００は表示装置２００と一体でもよい。
【００４５】
運動履歴システム１０はさらに、使用者２０が実際に身体を運動したことを検知する運動検知装置４００を備える。この運動検知装置４００は、複数の運動検知発信部４１０、４２０、４３０、４４０と、運動検知受信部４５０とを有する。
【００４６】
これらの運動検知発信部４１０、４２０、４３０、４４０は、使用者２０の複数の身体箇所に取り付けられ、使用者２０が実際に身体箇所を運動した場合に、身体箇所に対応づけられた運動検知信号を発信する。本実施形態において運動検知発信部４１０、４２０、４３０、４４０は、使用者の左腕に取り付けられる左手運動検知発信部４１０と、右腕に取り付けられる右手運動検知発信部４２０と、左足に取り付けられる左足運動検知発信部４３０と、右足に取り付けられる右足運動検知発信部４４０とを含む。一例として、これら４個の運動検知発信部の各々は、振動を検知する振動センサーと、その検知に基づいて運動検知信号の一例としての電波を発信する電波発信部を有する。これら４個の運動検知発信部の電波発信部はそれぞれ異なる周波数の電波を発信する。発信された電波の周波数から、いずれの運動検知発信部から発信された電波であるかを同定することができる。
【００４７】
運動検知受信部４５０は、運動検知発信部４１０、４２０、４３０、４４０からの運動検知信号を受信し、受信した運動検知信号に基づいて運動箇所を同定する情報とともに運動がなされた旨の情報を運動実行情報として出力する。
【００４８】
図２は、運動履歴装置１００の機能ブロック図である。運動履歴装置１００は、運動内容設定部１１０と内容画像出力部１２０とを有する。
【００４９】
運動内容設定部１１０は、身体の複数の運動箇所における運動内容を定める。本実施形態において、運動設定部１１０は、一例としてテーブルを参照して運動内容のデータを設定する。ただし、これに限られない。運動設定部１１０の他の例は、予め与えられた関数等を用いて数値演算により運動内容のデータを導出する。身体の複数の運動箇所は、運動により鍛錬する筋肉部分で分ける。ここでは説明の簡略化のため、身体を、胴体、肩から肘までの左右上腕、肘から先の左右下腕、脚の付け根から膝までの左右上脚、膝から先の左右下脚に分けてこれらを運動箇所と呼ぶ。
【００５０】
内容画像出力部１２０は、運動内容に基づいて、身体の複数の運動箇所におのおの対応した複数の表示部分を有する運動内容画像の信号を表示装置２００へ出力する。本実施形態において複数の表示部分を有する運動内容画像の一例は、人間の身体を表す外形を有しており、この外形を胴体、肩から肘までの左右上腕、肘から先の左右下腕、脚の付け根から膝までの左右上脚、膝から先の左右下脚に対応する表示部分に分けた、モデル画である。なお、本実施形態の運動内容画像は人間の身体の正面図に対応している。しかし、これに限られない。例えば、背面図に対応したモデル画を加えてもよい。他の例として、人間の身体をいわゆるポリゴンモデルを用いて三次元的に表したモデル画であってもよい。この場合に、運動箇所に対応する表示部分もそれぞれ三次元的に表してもよい。さらにこの場合に、使用者からの入力に基づいて視点を移動させたモデル画を随時、表示してもよい。
【００５１】
運動内容設定部１１０は、運動内容格納部１１２と、運動更新積算部１１４とを含む。本実施形態において、運動内容設定部１１０はさらに、運動パターン設定部１１６と、運動パターン選択部１１７と、運動パターン積算部１１８とを含む。
【００５２】
内容画像表示出力部１２０は、最大値決定部１２１と、最大値比較部１２２と、最大基準表示部１２３とを含む。最大基準表示部１２３は、色設定部１２４を含む。
【００５３】
また、本実施形態において、運動履歴装置１００は指示画像出力部１３０をさらに有する。指示画像出力部１３０は、運動パターン選択部１１７により選択された所定の運動パターンに対応づけられた運動指示画像を表示装置２００に表示させる信号を出力する。
【００５４】
図３は、本実施形態における運動履歴システム１０が使用者２０の運動の履歴を行う処理のうち、運動内容を定めるフローチャートを示す。
【００５５】
運動履歴装置１００において、運動内容格納部１１２は、複数の運動箇所の運動内容を格納する（Ｓ１０）。なお、各運動箇所の運動内容の初期値として、運動内容格納部１１２はゼロ（０）を格納する。
【００５６】
運動パターン設定部１１６は、複数の運動箇所のおのおのに対応した運動内容パラメータをそれぞれ有する複数の運動パターンを設定する（Ｓ１２）。本実施形態において、運動パターン設定部１１６は、設定された運動パターンと、それぞれの運動パターンに対応付けられた運動内容パラメータとをテーブルとして保存する。ここで、運動パターンは連続した動作の組をいう。運動パターンの一例は、武道の型を取り入れたエクササイズにおいて順に、基本姿勢、右手パンチ、左足キック、右手パンチ、基本姿勢などの連続した動作の組である。
【００５７】
運動パターン選択部１１７は、運動パターン設定部１１６により設定された複数の運動パターンから所定の運動パターンを選択する（Ｓ１４）。
【００５８】
本実施形態において、使用者２０が運動パターン選択部１１７に所望の運動パターンに対応する信号を入力する。運動パターン選択部１１７は、その入力に基づいて、運動パターン設定部１１６により設定された複数の運動パターンから所定の運動パターンを選択する。一例として、使用者２０からの入力は左手運動検知発信部４１０および右手運動検知発信部４２０が用いられる。例えば、左手運動検知発信部４１０からの運動検知信号が１回入力する毎に、運動パターン選択部１１７は運動パターンを切替える。右手運動検知発信部４２０から運動検知信号が入力された場合には、運動パターン選択部１１７は現在選択されている運動パターンが選択されたことを決定する。これにより、使用者２０は別個のコントローラを必要とせずに、身体に装着された運動検知発信部で運動パターンが選択できて、使い勝手が良い。
【００５９】
指示画像出力部１３０は、運動パターン選択部１１７により選択された所定の運動パターンに対応づけられた運動指示画像を、表示装置２００に表示させる信号を出力する（Ｓ１６）。これに基づいて、表示装置２００は運動指示画像を表示する。
【００６０】
次に、運動パターン積算部１１８は、運動パターン選択部１１７により選択された所定の運動パターンの運動内容パラメータを、運動更新積算部１１４で積算される新たな運動内容として設定する（Ｓ１８）。
【００６１】
運動更新積算部１１４は、運動内容格納部１１２により格納された前回までの複数の運動箇所の運動内容に、この新たに設定された運動内容を積算し、その積算結果を現在の運動内容として更新する（Ｓ２０）。すなわち、今回の運動パターンが選択される前までの運動内容に、新たな運動内容として設定された運動パターンの運動内容パラメータを、運動箇所ごとに積算する。運動更新積算部１１４は、その積算結果を現在の運動内容とする。
【００６２】
図４は、運動パターンと運動内容パラメータとの対応テーブルの一例を示す。この対応テーブルは、複数の運動パターンが運動パターン名で特定される。運動パターン名で特定されるそれぞれの運動パターンが、消費カロリーおよび複数の運動箇所の運動内容パラメータを有する。例えば、上述の例のように運動パターンが基本姿勢、右手パンチ、左足キック、右手パンチおよび基本姿勢の組である場合に、これらの一連の動作を行ったときに平均的に想定される消費カロリーを対応テーブルのデータとする。同様に、これらの一連の動作を行ったときに平均的に想定される筋力または身体の運動箇所のトレーニング度合いを、対応テーブルにおいて、それぞれの運動箇所の運動内容パラメータとする。
【００６３】
図５は、運動パターン選択部１１７が使用者２０の入力に基づいて複数の運動パターンから特定の運動パターンを選択する場合に、表示装置２００が表示する運動パターン選択画像５００の一例である。運動パターン選択画像５００は、運動パターンを特定する運動パターン名が表示されるフィールド５３０と、選択された運動パターンに対応する運動内容パラメータが表示されるフィールド５１０と、このフィールド５１０に表示される運動内容パラメータの凡例を表示するフィールド５２０とを有する。この例において、図４に示す対応テーブルに対応して「運動パターン１」、「運動パターン２」、「運動パターン３」の３個の運動パターン名がフィールド５３０に表示される。なお、この運動パターン選択画面において、使用者２０が本人であることを特定するために、ユーザＩＤやパスワードを入力させるようにしてもよい。
【００６４】
説明のために、「運動パターン１」が選択される場合を考える。現在選択されている「運動パターン１」の運動パターン名５３１に枠が表示される。例えば、画面上のポインタが運動パターン名５３１の上に来たときに、枠を表示してもよい。これにより、現在「運動パターン１」が選択されていることを使用者２０が知ることができる。ただし、選択されていることを示すのは枠に限られず、例えば、他の運動パターン名と異なる色にしてもよい。現在選択されている運動パターンを最終的な選択であると決定する場合に、例えばダブルクリックなど、ユーザーからの確認を求めるようにしてもよい。「運動パターン１」が選択されたことに対応して、図４の対応テーブルが参照されて、運動内容パラメータに基づく画像がフィールド５１０に表示される。
【００６５】
図５においては、「運動パターン１」は左右下腕部分が最も大きく、次いで左右上腕が大きく、他がゼロ（０）である運動内容パラメータを有することがわかる。これにより、使用者２０は、運動パターンを決定する前に各運動パターンに対応した運動内容パラメータを視覚的に知ることができる。「色」の一例として、運動内容が高い表示部分には赤などの暖色を設定し、運動内容が低い表示部分には青などの寒色を設定する。この色設定により、使用者２０は運動内容パラメータをより容易に視認することができる。なお、図５においてはハッチングを用いて「色」を表現している。
【００６６】
図６は、表示装置２００に表示された運動指示画像６００の一例である。本実施形態において運動指示画像６００は、人物、例えばインストラクター６１０が、選択された運動パターンに基づいて運動する様子を表示する動画である。表示装置２００に表示されたこの運動指示画像６００に従い、使用者２０はインストラクター６１０に追従して、身体の複数の運動箇所で運動する。例えば図６において、インストラクター６１０は、選択された「運動パターン１」における右手パンチの動作を使用者２０に対して指示している。
【００６７】
ここで、使用者２０がインストラクター６１０の動作と整合して動作すると、効果音や画面に特別な表示がされる。これにより使用者が楽しく運動をすることができる。使用者２０の動作がインストラクター６１０の指示する動作と整合するかどうかは、運動検知装置４００の出力に基づいて判定することができる。
【００６８】
上述のように、本実施形態において、運動検知装置４００は、使用者２０の複数の身体箇所に取り付けられて運動検知信号を発信する複数の運動検知発信部４１０、４２０、４３０、４４０と、これらの運動検知信号を受信する運動検知受信部４５０とを有する。しかしながら、これに限られない。
【００６９】
図１８は、他の運動検知装置４６０の斜視図である。運動検知装置４６０は、台座部４６２と、複数の発光部４６３と、枠体４６４と、天井部４６６と、複数の受光部４６７とを有する。台座部４６２は、使用者２０にその上で運動をさせるステージである。発光部４６３は、台座部４６２の所定位置に配され、それぞれが上方へ光を発光する。発光部４６３は、一例として指向性のある赤外光を発する。枠体４６４は、台座部４６２から使用者２０の頭上にまで延出して設けられる。天井部４６６は、枠体４６に支持されて、使用者２０の頭上に配される。受光部４６７は、天井部４６６に設けられ、その各々が対応する発光部４６３に対向する位置に配される。これにより、発光部４６３から発せられた光線が、受光部４６７により感知される。ここで、使用者２０が運動をすると、手足等の身体が特定の発光部４６３の上に位置することがある。これにより、使用者２０の身体がこの発光部４６３からそれに対応する受光部４６４へ向かう光線を切ることになり、この受光部４６４は光を感知できない。よって、光を感知していない受光部４６４により、使用者２０の身体が運動していることが検知される。なお、台座部４６２に使用者２０の足の初期位置を指示するマーキングをし、その位置に発光部４６３Ｒ、４６３Ｌを設けてもよい。
【００７０】
図１９は、さらに他の運動検知装置４８０の分解斜視図である。運動装置４８０は、使用者２０の正面に配される人工網膜センサである。この運動装置４８０は、レンズ４８２と、ＣＭＯＳセンサ４８４と、制御部４８６とを有する。レンズ４８２は使用者２０の像をＣＭＯＳセンサ４８４の上に結像する。ＣＭＯＳセンサ４８４は、半導体上に形成された複数の受光画素により、使用者２０の像を受光して電気信号を出力する。処理部４８６は、ＣＭＯＳセンサ４８４を制御するとともに、ＣＭＯＳセンサ４８４から出力された電気信号を、画像として処理する。運動検知装置４８０は、処理部４８６において所定時間間隔の使用者２０の画像を比較することにより、使用者２０が運動したことを検知することができる。運動検知装置４８０は、検知した使用者２０の運動を運動履歴装置１００へ出力する。
【００７１】
図７は、本実施形態における運動履歴システム１０が使用者２０の運動の履歴を行う処理のうち、運動内容に基づいて画像を表示する処理（Ｓ２００）のフローチャートを示す。図７のフローチャートは、図３に示すフローチャートにおける運動内容を定める一連の処理（Ｓ１００）に引き続いて処理される。
【００７２】
最大値決定部１２１は、運動内容設定部１１０の運動更新積算部１１４で積算された複数の運動箇所の運動内容のうちの最大値を決定する（Ｓ３０）。以下、説明のために、例えば左右下腕部の運動内容が最大であるとする。
【００７３】
最大値比較部１２２は、この最大値と最大値以外の複数の運動箇所の運動内容とを比較する（Ｓ３２）。この左右下腕部の運動内容と、左右上腕部、胴体、左右上脚部および左右下脚部のそれぞれの運動内容を比較する。この比較の一例として、最大値を１００％と置いたときの他の値を百分率で表す。上述の例において、最大値である左右下腕部の運動内容の値が１０であるときに、左右上腕部の運動内容の値が７であれば、この運動内容は７０％と表される。また、最大値である左右下腕部の運動内容の値が２０であるときに、左右上腕部の運動内容の値が７であれば、この運動内容は３５％と表される。
【００７４】
最大基準表示部１２３は、最大値比較部１２２の比較に基づいて、複数の表示部分の画像を設定する。本実施形態においては、複数の表示部分に次のように画像を設定する。
【００７５】
最大基準表示部１２３の色設定部１２４は、運動内容の値がゼロ（０）の運動箇所に対応する表示部分に第１の所定の色を設定し、最大値の運動箇所に対応する表示部分に第２の所定の色を設定する（Ｓ３４）。一例として、第１の所定の色として青色などの寒色を設定し、第２の所定の色として赤色などの暖色を設定する。この色設定により、使用者２０は過去からの運動内容をより容易に視認することができる。上述の例においては、左右下腕部に対応する表示部分には赤色が設定される。また、左右上脚部の運動内容の値がゼロであったとすると、これらに対応する表示部分には青色が設定される。
【００７６】
さらに色設定部１２４は、最大値以外の複数の運動箇所に対応する表示部分に、第１の所定の色から第２の所定の色へ段階的に変化させた色のうち、最大値比較部の比較に基づいて、最大値により近い前記運動箇所に対応する表示部分に第２の色により近い色を設定する（Ｓ３６）。一例として、青色から赤色まで全５段階の色を準備する。最大値比較部の比較により、色設定部１２４は運動内容の表示部分に、０％には青色、０％から２０％までには水色、２０％から４０％までには緑色、４０％から６０％までには黄色、６０％から８０％までには橙色、８０％から１００％までには赤色を設定する。
【００７７】
よって、最大値に対して相対的に他の表示部分が示されるので、その絶対値に関わらず相対的に運動内容が小さい箇所を容易に把握することができる。特に、一部の箇所のみについて非常に運動内容が大きくなるような偏った運動の履歴の場合には、その履歴が顕著に表示される。
【００７８】
図８は、表示装置２００に表示される運動内容画像７００の一例である。表示装置２００は、上述のように設定された複数の表示部分を有する運動内容画像７１０をフィールド７１０に表示する（Ｓ３８）。これにより、使用者２０は、運動後に運動内容を視覚的に知ることができる。なお、図８は、図５と同様にハッチングを用いて「色」を表現している。
【００７９】
また、本実施形態において、今回の運動パターンによる消費カロリーがフィールド７３０に表示される。また、表示装置２００に表示された運動内容画像７００において、現在運動内容が低い運動箇所の運動内容を高くするような運動パターンが、「おすすめの運動パターン」のフィールド７４０に表示される。よって、使用者２０はバランスの良い運動を容易に選択することができる。
【００８０】
以上、第１実施形態によれば、使用者は運動履歴を容易に視覚的に把握することができる。これにより、使用者は今後トレーニングすべき身体の箇所を容易に判断することができる。
【００８１】
図９は、本発明の第２実施形態にかかる運動システムにおける運動履歴装置１０２の機能ブロック図である。第２実施形態の運動履歴システムは、第１実施形態の運動履歴システムとは運動履歴装置１０２のみ異なるため、異なる構成のみ説明する。
【００８２】
第２実施形態の運動履歴装置１０２は、第１実施形態の運動履歴装置１００の構成に加え、運動内容設定部１１１に指示完了判定部１１９を有する。この指示完了判定部１１９は、使用者２０に指示された所定の運動パターンの運動指示画像６００の信号出力が指示画像出力部１３０から完了したか否かを判定する。指示完了判定部１１９は、運動指示画像６００の信号の出力が完了したと判定された場合に、運動パターン積算部１１８において、使用者２０に指示された所定の運動パターンの運動内容パラメータを、運動更新積算部１１４で積算される新たな運動内容とする。この場合に、運動積算部１１４は、積算した結果としての新たな運動内容を、運動内容格納部１１２に格納してもよい。
【００８３】
一方、指示完了判定部１１９は、運動指示画像６００の信号の出力が完了したと判定されない場合には、運動パターン積算部１１８において、運動更新積算部１１４で積算される新たな運動内容をゼロ（０）とする。これにより所定の運動パターンを最後までこなさなかった使用者２０に対しては、運動内容を積算しない。
【００８４】
以上、第２実施形態によれば、第１実施形態と同様の効果を得ることができる。さらに、運動パターンを最後までこなした場合にのみ運動内容が積算されるので、使用者の実際の運動量により近い運動履歴を得ることができる。また、使用者に最後まで運動パターンの動作を続けさせる動機付けとすることができる。
【００８５】
なお、第２実施形態において、指示完了判定部１１９は所定の運動パターンの運動指示画像６００の信号の出力が完了した場合に、運動内容を更新させる。しかしながらこれに限られない。
【００８６】
例えば、運動パターンの中に含まれる特定の動作の組について運動指示画像６００の信号の出力が完了したことを判定してもよい。この場合には、特定の動作の組について運動指示画像６００が完了した場合には、その後に途中で運動指示画像６００の信号の出力が中断しても、その特定の動作の組に基づいた運動内容パラメータを運動更新積算部１１４で積算される新たな運動内容としてもよい。
【００８７】
他の例として、指示完了判定部１１９は所定の運動パターンの運動指示画像６００の信号の半分の出力が完了し、その後に出力が中断した場合には、運動内容パラメータの半分の値を運動更新積算部１１４で積算される新たな運動内容としてもよい。
【００８８】
図１０は、本発明の第３実施形態にかかる運動システムにおける運動履歴装置１０４の機能ブロック図である。第３実施形態の運動履歴システムは、第１実施形態の運動履歴システムとは運動履歴装置１０４のみが異なるため、異なる構成のみ説明する。
【００８９】
第３実施形態の運動履歴装置１０４は、第１実施形態の運動履歴装置１００の構成に加え、音声出力装置３００に音声を出力する音声出力部１４０と、運動内容設定部１４１に音声完了判定部１４２とを有する。
【００９０】
音声出力装置３００は、運動パターン選択部１１７により選択された所定の運動パターンに対応づけられた音声を出力する。
【００９１】
音声完了判定部１４２は、音声出力装置３００において、所定の運動パターンの音声の出力が完了したか否かを判定する。音声の出力が完了したと判定された場合に、音声完了判定部１４２は、運動パターン積算部において、前記所定の運動パターンの前記運動内容パラメータを前記運動更新積算部で積算される前記新たな運動内容とする。なお、音声完了判定部１４２は、音声出力部１４０における音声の出力が完了したと判定されない場合には、運動パターン積算部１１８において、運動更新積算部１１４で積算される新たな運動内容をゼロ（０）とする。これにより所定の運動パターンを最後までこなさなかった使用者２０に対しては、運動内容を積算しない。
【００９２】
以上、第３実施形態によれば、第１実施形態および第２実施形態と同様の効果を得ることができる。さらに、例えば音声としてダンサブルなビートを有する音楽を使用することにより、使用者が音楽の連続性を求めて、最後まで運動パターンの動作を続ける動機付けとすることができる。
【００９３】
図１１は、本発明の第４実施形態にかかる運動システムにおける運動履歴装置１０６の機能ブロック図である。第３実施形態の運動履歴システムは、第１実施形態の運動履歴システムとは運動履歴装置１０６が異なる。
【００９４】
第４実施形態の運動履歴装置１０６は、運動内容設定部１５０と内容画像出力部１２０と、指示画像出力部１３０とを有する。運動内容設定部１５０は、第１実施形態と同様に、運動内容格納部１１２と運動更新積算部１１４とを含む。本実施形態の運動内容設定部１５０は、さらに、運動実行情報取得部１５２と、運動実行情報積算部１５４とを含む。
【００９５】
運動内容設定部１５０の運動実行情報取得部１５２は、運動検知装置４００の検知に基づいた運動実行情報を取得する。上述のように、運動検知装置４００の運動検知発信部４１０、４２０、４３０、４４０は、使用者２０の複数の身体箇所に取り付けられる。これら運動検知発信部４１０、４２０、４３０、４４０は、使用者２０が実際に身体箇所を運動した場合に、身体箇所に対応づけられた運動検知信号を発信する。
【００９６】
例えば、運動指示画像６００の指示により、使用者２０が右手でパンチをしたとする。この場合には、右手に取り付けられた右手運動検知発信部４１０は、その振動を検知して、予め設定された所定の周波数による運動検知信号を発信する。運動検知受信部４５０は、この運動検知信号を受信し、この運動検知信号の周波数に基づいて信号を発したのが右手運動検知発信部であると同定する。これに基づき、運動検知受信部４５０は、運動履歴装置１００の運動実行情報取得部１５２へ運動実行情報を出力する。
【００９７】
運動実行情報積算部１５４は、運動実行情報取得部１５２により取得された運動実行情報に基づいた運動実行パラメータを、運動更新積算部１１４で積算される複数の運動箇所の新たな運動内容とする。本実施形態においては、運動実行情報積算部１５４は、指示画像出力部１３０が表示装置２００へ一連の連続した運動を指示する運動指示画像を出力している間において、運動実行情報取得部１５２からの運動実行情報が入力される毎に、運動箇所ごとの運動実行パラメータに換算して積算する。運動実行情報積算部１５４は、この積算値をそれぞれの運動箇所における運動実行パラメータとする。
【００９８】
なお、本実施形態において、運動箇所の個数は上述の通り、胴体、肩から肘までの左右上腕、肘から先の左右下腕、脚の付け根から膝までの左右上脚、膝から先の左右下脚の９個である。一方、運動を検知する運動検知発信部は、左手運動検知発信部４１０、右手運動検知発信部４２０、左足運動検知発信部４３０および右足運動検知発信部４４０の４個である。ここで、運動箇所の個数と運動検知発信部の個数は必ずしも一致しなくても良い。ある特定の動作に対して使用する運動箇所は予め分かっているからである。例えば、右パンチの動作に対してどの筋肉が使われるかは運動学的に把握されている。さらに、特定の運動の指示に対して、その運動に対応する運動検知部の検知の有無から、その運動が行われたとするのは妥当な推定である。上述の例でいえば、右パンチの指示に対して少なくとも右手運動検知発信部４２０が運動を検知すれば、使用者が右パンチの動作をしたであろうと推定することができる。よって、運動が指示された場合に、４個の運動検知発信部４１０、４２０、４３０、４４０の検知に基づいてその運動がなされたことを推定し、その運動に対する運動学的に既知な身体の箇所の運動から９個のそれぞれの運動箇所の運動実行パラメータに換算することができる。なお、この場合に特定の運動検知部、例えば右足運動検知発信部４４０が運動を検知しないことを条件に加えてもよい。
【００９９】
図１２は、表示装置２００に表示される運動内容画像８００の一例である。本実施形態において、第１実施形態と同様に運動内容の最大値と比較して設定された色に基づいて、運動内容画像がフィールド８１０に表示される。さらに、今回の一連の連続した運動の指示に対して、使用者２０が実際に動作が整合した割合がフィールド８３０に表示される。よって、使用者２０がどの程度整合した動作を行ったかが視認できる。なお、図１２も、図５と同様にハッチングを用いて「色」を表現している。
【０１００】
以上、第４実施形態によれば、第１実施形態と同様の効果を得ることができる。さらに、表示される運動内容画像は、使用者が実際にした運動に基づいているので、使用者は、より正確に実際の運動履歴を知ることができる。
【０１０１】
図１３は、本発明の第５実施形態にかかる運動システムにおける運動履歴装置１０８の機能ブロック図である。第５実施形態の運動履歴システムは、第１実施形態の運動履歴システムとは運動履歴装置１０８が異なる。
【０１０２】
本実施形態の運動履歴装置１０８は、運動内容設定部１１０と、指示画像出力部１３０と、内容画像出力部１６０とを有する。運動履歴装置１０８の運動内容設定部１１０および指示画像出力部１３０は、第１実施形態と同様であり、説明を省略する。
【０１０３】
本実施形態における運動履歴装置１０８の内容画像出力部１６０は、基準値比較部１６２と、所定基準表示部１６４とを含む。所定基準表示部１６４は、色設定部１６８を含む。
【０１０４】
図１４は、本実施形態における運動履歴システム１０が使用者２０の運動の履歴を行う処理のうち、運動内容に基づいて画像を表示する処理のフローチャートを示す。運動内容設定の一連処理（Ｓ１００）は、第１実施形態と同様であるので説明を省略する。
【０１０５】
運動履歴装置１０８における内容画像出力部１６０の基準値比較部１６２は、運動内容積算部１１４で積算された複数の運動箇所の運動内容と所定の基準値とを比較する（Ｓ４０）。第１実施形態と同様の例を用いて説明すれば、この所定の基準値と、左右上腕部、左右下腕部、胴体、左右上脚部および左右下脚部のそれぞれの運動内容を比較する。
【０１０６】
この比較の一例として、基準値を１００％とおいたときの他の値を百分率で表す。ここで、説明のために、所定の基準値が２０であるとする。上述の例において、左右上腕部の運動内容の値が１４であれば、この運動内容は７０％と表される。また、左右下腕部の運動内容の値が２５であれば、この運動内容は１２５％と表される。
【０１０７】
内容画像出力部１６０の所定基準表示部１６４は、基準値比較部１６２の比較に基づいて、複数の表示部分の運動内容画像を設定する。本実施形態においては、複数の表示部分に次のように画像を設定する。
【０１０８】
所定基準表示部１６４の色設定部１６８は、運動内容の値がゼロの運動箇所に対応する表示部分に第１の所定の色を設定する。さらに色設定部１６８は、所定の基準値以上の運動履歴の運動箇所に対応する表示部分に第２の所定の色を設定する（Ｓ４２）。一例として、第１の所定の色として青色などの寒色を設定し、第２の所定の色として赤色などの暖色を設定する。この色設定により、使用者２０は過去からの運動内容をより容易に視認することができる。上述の例においては、左右下腕部に対応する表示部分には赤色が設定される。また、左右上脚部の運動内容の値がゼロであったとすると、これらに対応する表示部分には青色が設定される。
【０１０９】
続いて、色設定部１６８は、所定の基準値未満の運動履歴の運動箇所に対応する表示部分に、第１の所定の色から第２の所定の色へ段階的に変化させた色のうち、基準値部の比較に基づいて、所定の基準値により近い運動箇所に対応する表示部分に、前記第２の色により近い色を設定する（Ｓ４４）。一例として、青色から赤色まで全５段階の色を準備する。基準値比較部の比較により、色設定部１６８は運動内容の表示部分に、０％には青色、０％から２０％までには水色、２０％から４０％までには緑色、４０％から６０％までには黄色、６０％から８０％までには橙色、８０％から１００％までには赤色に設定する。なお、上述のように色設定部１６８は１００％以上の運動内容の表示部分も赤色に設定する。
【０１１０】
表示装置２００は、上述のように設定された複数の表示部分を有する運動内容画像に表示する（Ｓ４６）。運動内容画像の表示は、第１実施形態と同様である。
【０１１１】
以上、第５実施形態によれば、第１実施形態と同様の効果を得ることができる。  さらに、基準値に比較して他の表示部分が示されるので、運動内容の絶対値が小さい箇所を容易に把握することができる。特に、運動箇所全体について運動内容が小さいすなわちこの運動履歴システムにおいてあまり運動をしていない場合には、その履歴が顕著に表示される。
【０１１２】
図１５は、本発明の第６実施形態にかかる運動システムにおける運動履歴装置１０９の機能ブロック図である。第６実施形態の運動履歴システムは、第１実施形態の運動履歴システムと、運動履歴装置１０９が異なる。
【０１１３】
本実施形態の運動履歴装置１０９は、運動内容設定部１１０と、指示画像出力部１３０と、内容画像出力部１７０とを有する。運動履歴装置１０９の運動内容設定部１１０および指示画像出力部１３０は、第１実施形態と同様であり、説明を省略する。
【０１１４】
本実施形態における運動履歴装置１０９の内容画像出力部１７０は、最大値決定部１７２と、最大基準比較部１７４と、設定基準表示部１７６とを含む。設定基準表示部１７６は、色設定部１７８を含む。
【０１１５】
図１６は、本実施形態における運動履歴システム１０が使用者２０の運動の履歴を行う処理のうち、運動内容に基づいて画像を表示する処理のフローチャートを示す。運動内容設定の一連処理（Ｓ１００）は、第１実施形態と同様であるので説明を省略する。
【０１１６】
運動履歴装置１０９における内容表示部１７０の最大値決定部１７２は、運動内容積算部１１４で積算された複数の運動箇所の運動内容のうちの最大値を決定する（Ｓ５０）。最大基準比較部１７４は、最大値と所定の基準値とを比較する（Ｓ５２）。
【０１１７】
設定基準表示部１７６は、最大値が前記所定の基準値未満の場合に、第５実施形態における図１４と同様の処理をする（Ｓ４０からＳ４６）。なお図１６ではこれらの処理を「所定基準表示」として示した。一方、設定基準表示部１７６は、最大値が所定の基準値以上の場合に、第１実施形態における図７と同様の処理をする（Ｓ３４からＳ３８）。なお図１６ではこれらの処理を「最大基準表示」として示した。
【０１１８】
以上、第６実施形態によれば、第１実施形態と同様の効果を得ることができる。さらに、運動履歴に応じて、最大値に対して相対的な表示と基準値を考慮した絶対的な表示とのいずれかを用いることができる。よって、運動箇所全体について運動内容が小さいすなわちこの運動履歴システムにおいてあまり運動をしていない場合には、その履歴が顕著に表示される一方で、一部の箇所のみについて非常に運動内容が大きくなるような偏った運動の履歴の場合には、その履歴が顕著に表示される。
【０１１９】
図１７は、第７実施形態による運動履歴システム１０の運動履歴装置９００のハードウェア構成を示すブロック図である。運動履歴装置９００は、ＣＰＵ９１０と、ＲＯＭ９２０と、ＲＡＭ９３０と、通信インターフェース９４０と、入出力ポート９５０と、ハードディスクドライブ９６０を備える。ＣＰＵ９１０は、ＲＯＭ９２０及びＲＡＭ９３０に格納されたプログラムに基づいて動作する。通信インターフェース９４０は、通信網を介して外部と通信する。格納装置の一例としてのハードディスクドライブ９６０は、対応テーブル及びＣＰＵ９１０が動作するプログラムを格納する。また、本実施形態で、ハードディスクドライブ９６０は、運動内容格納部１１２として、複数の運動箇所の運動内容を格納する。入出力ポート９５０は、運動検知装置４００とデータの送受信を行う。
【０１２０】
運動履歴装置９００はさらに、フレキシブルディスクドライブ９７０と、ＣＤ−ＲＯＭドライブ９８０とを備える。フレキシブルディスクドライブ９７０はフレキシブルディスク９７２からデータまたはプログラムを読み取りＣＰＵ９１０に提供する。ＣＤ−ＲＯＭドライブ９８０はＣＤ−ＲＯＭ９８２からデータまたはプログラムを読み取りＣＰＵ９１０に提供する。通信インターフェース９４０は、インターネットに接続してデータを送受信する。
【０１２１】
ＣＰＵ９１０が実行するソフトウェアは、フレキシブルディスク９７２またはＣＤ−ＲＯＭ９８２等の記録媒体に格納されてユーザに提供される。記録媒体に格納されたソフトウェアは圧縮されていても非圧縮であっても良い。ソフトウェアは記録媒体からハードディスクドライブ９６０にインストールされ、ＲＡＭ９３０に読み出されてＣＰＵ９１０により実行される。
【０１２２】
記録媒体に格納されて提供されるソフトウェア、即ちハードディスクドライブ９６０にインストールされるソフトウェアは、機能構成として、運動履歴システムに、身体の複数の運動箇所における運動内容を定める運動内容設定ステップと、運動内容に基づいて、複数の運動箇所におのおの対応した複数の表示部分を有する運動内容画像を表示する運動内容表示ステップとを有する。当該ソフトウェアは、本発明に係る運動履歴システムのプログラムの一例である。このソフトウェアに含まれる各ステップに従って、ＣＰＵ９１０に実行させる処理は、それぞれ本実施形態における運動履歴システム１００における、対応する部材の機能及び動作と同一であるから説明を省略する。
【０１２３】
以上、図１７に示した、記録媒体の例としてのフレキシブルディスク９７２、またはＣＤ−ＲＯＭ９８２には、本出願で説明する全ての実施形態における運動履歴システム１０の運動履歴装置９００の動作の一部または全ての機能を格納することができる。
【０１２４】
これらのプログラムは記録媒体から直接ＲＡＭに読み出されて実行されても、一旦ハードディスクドライブにインストールされた後にＲＡＭに読み出されて実行されても良い。さらに、上記プログラムは単一の記録媒体に格納されても複数の記録媒体に格納されても良い。また記録媒体に格納されるプログラムの各ステップは、オペレーティングシステムとの共同によってそれぞれの機能を提供してもよい。例えば機能の一部または全部を行うことをオペレーティングシステムに依頼し、オペレーティングシステムからの応答に基づいて機能を提供するものであってもよい。
【０１２５】
記録媒体としては、フレキシブルディスク、ＣＤ−ＲＯＭの他にも、ＤＶＤ等の光学記録媒体、ＭＤ等の磁気記録媒体、ＰＤ等の光磁気記録媒体、テープ媒体、磁気記録媒体、ＩＣカードやミニチュアーカードなどの半導体メモリー等を用いることができる。この場合の記録媒体は、本発明に係る記録媒体の一例である。又、専用通信ネットワークやインターネットに接続されたサーバシステムに設けたハードディスクまたはＲＡＭ等の格納装置を記録媒体として使用し、通信網を介してプログラムを運動履歴システム１０の運動履歴装置９００に提供してもよい。
【０１２６】
運動履歴システム１０の運動履歴装置９００の一例は、家庭用ビデオゲーム機である。しかしこれに限られない。他の例は、スポーツクラブに設置される運動支援装置や、テーマパーク等に設置されるアーケードゲーム機等である。
【０１２７】
また、ハードディスクドライブ９６０に格納された複数の運動箇所の運動内容を、フレキシブルディスク９７２に書き込み、他の運動履歴システム等で読み出し、書き込み、またはその両方を可能にしてもよい。
【０１２８】
以上、本発明を実施（の）形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【０１２９】
【発明の効果】
上記説明から明らかなように、本発明によれば使用者は運動履歴を容易に視覚的に把握することができる。これにより、使用者は今後トレーニングすべき身体の箇所を容易に判断することができる。
【図面の簡単な説明】
【図１】本発明の実施形態にかかる運動履歴システムの全体図
【図２】運動履歴装置の機能ブロック図
【図３】本実施形態における運動履歴システムが使用者の運動の履歴を行う処理のうち、運動内容を定めるフローチャート
【図４】運動パターンと運動内容パラメータとの対応テーブルの一例
【図５】複数の運動パターンを選択する場合に表示装置が表示する運動パターン選択画像の一例
【図６】表示装置に表示された運動指示画像の一例
【図７】本実施形態における運動履歴システムが使用者の運動の履歴を行う処理のうち、運動内容に基づいて画像を表示する処理のフローチャート
【図８】表示装置に表示された運動内容画像の一例
【図９】本発明の第２実施形態にかかる運動システムにおける運動履歴装置の機能ブロック図
【図１０】本発明の第３実施形態にかかる運動システムにおける運動履歴装置の機能ブロック図
【図１１】本発明の第４実施形態にかかる運動システムにおける運動履歴装置の機能ブロック図
【図１２】表示装置に表示される運動内容画像の一例
【図１３】本発明の第５実施形態にかかる運動システムにおける運動履歴装置の機能ブロック図
【図１４】本実施形態における運動履歴システムが運動内容に基づいて画像を表示する処理のフローチャート
【図１５】本発明の第６実施形態にかかる運動システムにおける運動履歴装置の機能ブロック図
【図１６】本実施形態における運動履歴システムが運動内容に基づいて画像を表示する処理のフローチャート
【図１７】第７実施形態による運動履歴システムの運動履歴装置のハードウェア構成を示すブロック図
【図１８】他の運動検知装置の斜視図
【図１９】さらに他の運動検知装置の分解斜視図
【符号の説明】
１０  運動履歴システム
２０  使用者
１００、１０２、１０４、１０６、１０８、９００  運動履歴装置
１１０、１１１、１４１、１５０  運動内容設定部
１２０、１６０、１７０  内容画像出力部
１３０  指示画像出力部
１４０  音声出力部
２００  表示装置
３００  音声出力装置
４００  運動検知装置
４１０、４２０、４３０、４４０  運動検知発信部
４５０  運動検知受信部
６００  運動指示画像
７００、８００  運動内容画像
【図１】
0003735309.tif 000002
【図２】
0003735309.tif 000003
【図３】
0003735309.tif 000004
【図４】
0003735309.tif 000005
【図５】
0003735309.tif 000006
【図６】
0003735309.tif 000007
【図７】
0003735309.tif 000008
【図８】
0003735309.tif 000009
【図９】
0003735309.tif 000010
【図１０】
0003735309.tif 000011
【図１１】
0003735309.tif 000012
【図１２】
0003735309.tif 000013
【図１３】
0003735309.tif 000014
【図１４】
0003735309.tif 000015
【図１５】
0003735309.tif 000016
【図１６】
0003735309.tif 000017
【図１７】
0003735309.tif 000018
【図１８】
0003735309.tif 000019
【図１９】
0003735309.tif 000020